(57)【要約】  【課題】周囲の色の色相の影響を受けて実際とは異なった色に見えてしまう色相対比現象により、重要な色の見た目の色が異なって見えてしまう場合に、周囲の色のエリアが画像の最も外側に位置していないときには、適切な補正ができず好ましい色再現を実現できなかった。  【解決手段】複数の領域に対するそれぞれの色相データを格納する格納手段５１と、補正する対象色相を指定する対象色相指定手段５８と、対象色相のデータを有している対象領域の外側にあり、かつ対象領域の周囲に接している周囲領域の色相データを取得する周囲色相取得手段５９と、周囲領域の色相データに基づいて対象色相のデータを補正する色相補正手段６３と、補正後の対象色相のデータを含めて、複数の領域のそれぞれの色相データに基づいてカラー表示する表示手段６５とを備えた。【選択図】図１
2006332908.tif 000002
【特許請求の範囲】
【請求項１】
複数の領域に対するそれぞれの色相データを格納する格納手段と、
補正する対象色相を指定する対象色相指定手段と、
前記対象色相のデータを有している対象領域の外側にあり、かつ前記対象領域の周囲に接している周囲領域の色相データを取得する周囲色相取得手段と、
前記周囲領域の色相データに基づいて前記対象色相のデータを補正する色相補正手段と、
補正後の前記対象色相のデータを含めて、前記複数の領域のそれぞれの色相データに基づいてカラー表示する表示手段とを備えたカラー画像表示装置。
【請求項２】
前記色相補正手段は、前記対象色相のデータを、前記周囲領域の色相データの色差方向に補正する、請求項１に記載のカラー画像表示装置。
【請求項３】
前記色相補正手段は、前記対象領域に対する前記周囲領域の面積の比が予め決められた所定値以上の場合にのみ前記対象色相のデータを補正する、請求項１に記載のカラー画像表示装置。
【請求項４】
複数の領域に対するそれぞれの明度データを格納する格納手段と、
補正する対象明度を指定する対象明度指定手段と、
前記対象明度のデータを有している対象領域の外側にあり、かつ前記対象領域の周囲に接している周囲領域の明度データを取得する周囲明度取得手段と、
前記周囲領域の明度データに基づいて前記対象明度のデータを補正する明度補正手段と、
補正後の前記対象明度のデータを含めて、前記複数の領域のそれぞれの明度データに基づいてカラー表示する表示手段とを備えたカラー画像表示装置。
【請求項５】
前記明度補正手段は、前記対象領域に対する前記周囲領域の面積の比が予め決められた所定値以上の場合にのみ前記対象明度のデータを補正する、請求項４に記載のカラー画像表示装置。
【請求項６】
複数の領域に対するそれぞれの彩度データを格納する格納手段と、
補正する対象彩度を指定する対象彩度指定手段と、
前記対象彩度のデータを有している対象領域の外側にあり、かつ前記対象領域の周囲に接している周囲領域の彩度データを取得する周囲彩度取得手段と、
前記周囲領域の彩度データに基づいて前記対象彩度のデータを補正する彩度補正手段と、
補正後の前記対象彩度のデータを含めて、前記複数の領域のそれぞれの彩度データに基づいてカラー表示する表示手段とを備えたカラー画像表示装置。
【請求項７】
前記彩度補正手段は、前記対象領域に対する前記周囲領域の面積の比が予め決められた所定値以上の場合にのみ前記対象彩度のデータを補正する、請求項６に記載のカラー画像表示装置。
【請求項８】
複数の領域に対するそれぞれの色の３要素のデータを格納する格納ステップと、
補正する対象を、色の３要素のうちの１つの要素の特定の値で指定する補正対象指定ステップと、
前記１つの要素のデータが前記特定の値である対象領域の外側にあり、かつ前記対象領域の周囲に接している周囲領域を検出し、前記周囲領域の前記１つの要素のデータを取得する周囲領域要素値取得ステップと、
前記周囲領域の前記１つの要素のデータに基づいて、前記対象領域の前記１つの要素のデータを補正する要素値補正ステップと、
補正後の前記対象領域の前記１つの要素のデータを含めて、前記複数の領域のそれぞれの色の３要素のデータに基づいてカラー表示する表示ステップとを備えたカラー画像表示方法。
【請求項９】
請求項８に記載のカラー画像表示方法の、複数の領域に対するそれぞれの色の３要素のデータを格納する前記格納ステップ、補正する対象を色の３要素のうちの１つの要素の特定の値で指定する前記補正対象指定ステップ、周囲領域を検出し前記周囲領域の前記１つの要素のデータを取得する前記周囲領域要素値取得ステップ、前記対象領域の前記１つの要素のデータを補正する前記要素値補正ステップ、補正後の前記対象領域の前記１つの要素のデータを含めて前記複数の領域のそれぞれの色の３要素のデータに基づいてカラー表示する前記表示ステップ、を実行するためにコンピュータを機能させるためのプログラム。
【請求項１０】
請求項９に記載のプログラムを記録した記録媒体であって、コンピュータで利用可能な記録媒体。
【発明の詳細な説明】
【技術分野】
【０００１】
本発明は、カラー画像表示装置およびカラー画像表示方法に関するものである。例えば、一つの画素が３原色の色で表示可能であり、３原色の色の混合比に対応する色信号を入力し表示するカラー画像表示装置およびカラー画像表示方法に関するものである。
【背景技術】
【０００２】
カラー表示用のデバイスとしてＣＲＴ、ＬＣＤ（Ｌｉｑｕｉｄ  Ｃｒｙｓｔａｌ  Ｄｉｓｐｌａｙ）、ＰＤＰ等が使用されており、一般的な基本色としてはＲＧＢ（赤緑青）３原色が用いられている。
【０００３】
こうした表示装置において、入力画像を忠実に再現させることは重要な要素である。入力画像を忠実に再現させる補正は、従来から種々の方法が提案されている。例えば、特許文献１では、色相対比現象を解消する発明が開示されている。
【０００４】
色相対比現象とは、ある色がその周りにある他の色の色相の影響を受け、実際とは異なった色に見える現象を言う。特許文献１では、前景部が背景部の色相によってその色の見え方が異なるという課題を解消する手法が提案されており、背景色および前景色を抽出し、背景色に応じて前景色を補正することで、人間の視覚特性として背景部の画像によって生じる前景部の色みの変化を補正することができ、視覚的に正確な色みを再現可能としている。
【０００５】
図８に、特許文献１に開示された手法における色相の補正手順を示す。図８を用いて、従来の色相の補正処理方法について説明する。
【０００６】
まず、背景色の色相ＨＢを抽出する（Ｓ８０１）。そして、背景色の色相ＨＢの色差軸方向の補正レベルΔＨＢを抽出する（Ｓ８０２）。次に、前景色の色相ＨＦを抽出し（Ｓ８０３）、ＨＦ＋ΔＨＢを前景色の新たな色相ＨＦとする（Ｓ８０４）。
【０００７】
図８の処理を行なうことで、前景部が視覚的に背景色の補色方向に色味を帯びてくる現象（色相対比現象）を相殺することができ、忠実な色味の伝達が可能となる。
【０００８】
図９は、図８で示した従来の色相の補正方法における、ある画像のヒストグラム例を示している。「ｔｈ」は、補正を行なうか否かの判断基準となる「閾値」である。Ｂ０、ＢＧ、ＧＢ、ＧＹ、Ｙ０、Ｒ０は、いずれも、この閾値ｔｈを超える色相であり、次に説明する前景／背景判別に用いられる。
【０００９】
図１０は、特許文献１に開示された従来の前景／背景の判別部の色相補正手順を示している。図１０を用いて、従来の前景／背景の判別方法を説明する。
【００１０】
まず、ある画像について、色相のヒストグラムを作成し、閾値ｔｈ以上の色相を抽出する（Ｓ９０１）。そして、抽出した閾値ｔｈ以上の各色相について、画像のＸ方向及びＹ方向について頻度ヒストグラムをそれぞれ作成する（Ｓ９０２）。これらの頻度ヒストグラムから、Ｘ方向及びＹ方向のそれぞれについての分布のアドレスを抽出し（Ｓ９０３）、それらの分布の中から最大／最小アドレスを抽出する（Ｓ９０３）。これにより、画像面における各色相の分布を把握することができる。なお、Ｘ方向及びＹ方向のアドレスとは、画素位置を示すＸ軸上およびＹ軸上の位置（座標）のことを言う。
【００１１】
そして、抽出された最大アドレスと最小アドレスが同一色相のアドレスか否かを判断する（Ｓ９０５）。抽出された最大／最小アドレスが同一色相のアドレスであれば、その色相を有する領域を背景画像とし（Ｓ９０６）、次に、その背景画像に包含される色相の領域があるか否かを判断する（Ｓ９０７）。背景画像に包含される色相があれば、それを前景画像とする（Ｓ９０８）。そして、この前景画像に対して色補正する（Ｓ９０９）。
【００１２】
図１１では、ある画像について、色相ＧＹ、Ｂ０について頻度ヒストグラムを作成した例を示している。色相ＧＹは、Ｘ０´〜Ｘ１´、Ｙ０´〜Ｙ１´の位置に分布し、色相Ｂ０は、Ｘ０〜Ｘ１、Ｙ０〜Ｙ１の位置に分布している。これらから、外側に分布している色相Ｂ０を有する部分を背景画像、内側に分布している色相ＧＹを有する部分を前景画像とすることができる。このようにして、従来は、Ｘ方向及びＹ方向の頻度ヒストグラムから、背景画像と前景画像を判別していた。
【００１３】
つまり、上記の従来技術においては、ある閾値以上の色相の頻度値を持ち、Ｘ方向、Ｙ方向の最も外側に分布している画素の集合を、背景部と決定している。そして、背景部に包含される他の色相の画素の集合を前景部と決定し、その決定した前景部に対して色補正を行っていた。
【特許文献１】特開２００１−２９２３３３号公報
【発明の開示】
【発明が解決しようとする課題】
【００１４】
しかしながら、上記の従来の補正方法では、表示領域内の最も外側（背景部）に分布している色相以外の色相を有する部分に包含される部分については補正ができなかった。
【００１５】
従来の補正方法では、表示領域内の最も外側に分布する色相を有する部分を背景部とし、その背景部に包含される前景部に対してのみ色補正処理を行なっていた。したがって、背景部に包含される部分（前景部）にさらに包含される部分については、色補正処理を行なうことができなかった。
【００１６】
しかし、表示領域内のある色相を持つ部分が、他の色相を持つ部分で囲まれた場合、他の色相を持つ部分がその表示領域内の最も外側の色相の部分で無い場合でも、ある色相を持つ部分は、その周りにある他の色相の影響を受け、実際とは異なった色に見える場合がある。上記の従来の補正方法では、このようなある色相を持つ部分について、その周りの他の色相の影響による色補正を行なうことはできなかった。
【００１７】
図３に、このような、他の色相を持つ部分で囲まれたある色相を持つ部分を有している表示例を示す。この表示例は、文字２０、対象画像２１、周辺画像２２、エリア２３、背景２４で構成されており、ある色相を持つ対象画像２１が、他の色相を持つ周辺画像２２で囲まれている。
【００１８】
この表示例において、この資料の作成者が対象画像２１の部分の色の見え方が重要だと考えたとする。しかし対象画像２１は、周辺画像２２の色相に影響され、対象画像２１は周辺画像２２の補色方向に色味を帯びて見えてしまう。ところが、周辺画像２２は、背景２４、エリア２３よりも内側に存在し、周辺画像２２の面積は、背景２４、エリア２３の面積よりも小さい。したがって、上記の従来の補正方法を用いた場合には、背景部としては周辺画像２２が抽出されず、背景２４が抽出されてしまう。その結果、周辺画像２２の影響による対象画像２１の色の補正を行なうことができない。
【００１９】
本発明は、上述した従来の課題を解決するもので、ある色相を有する部分が、表示領域の最外部に分布していない他の色相を有する部分に囲まれている場合でも、ある色相を有する部分の見え方の違和感を減少させる、カラー画像表示装置およびカラー画像表示方法を提供することを目的とするものである。
【００２０】
また、別の本発明は、ある領域が、そのある領域とは異なる明度や彩度を有する、表示領域の最外部に分布していない部分に囲まれている場合でも、そのある領域の見え方の違和感を減少させる、カラー画像表示装置およびカラー画像表示方法を提供することを目的とするものである。
【課題を解決するための手段】
【００２１】
上述した課題を解決するために、第１の本発明は、
複数の領域に対するそれぞれの色相データを格納する格納手段と、
補正する対象色相を指定する対象色相指定手段と、
前記対象色相のデータを有している対象領域の外側にあり、かつ前記対象領域の周囲に接している周囲領域の色相データを取得する周囲色相取得手段と、
前記周囲領域の色相データに基づいて前記対象色相のデータを補正する色相補正手段と、
補正後の前記対象色相のデータを含めて、前記複数の領域のそれぞれの色相データに基づいてカラー表示する表示手段とを備えたカラー画像表示装置である。
【００２２】
また、第２の本発明は、
前記色相補正手段は、前記対象色相のデータを、前記周囲領域の色相データの色差方向に補正する、第１の本発明のカラー画像表示装置である。
【００２３】
また、第３の本発明は、
前記色相補正手段は、前記対象領域に対する前記周囲領域の面積の比が予め決められた所定値以上の場合にのみ前記対象色相のデータを補正する、第１の本発明のカラー画像表示装置である。
【００２４】
また、第４の本発明は、
複数の領域に対するそれぞれの明度データを格納する格納手段と、
補正する対象明度を指定する対象明度指定手段と、
前記対象明度のデータを有している対象領域の外側にあり、かつ前記対象領域の周囲に接している周囲領域の明度データを取得する周囲明度取得手段と、
前記周囲領域の明度データに基づいて前記対象明度のデータを補正する明度補正手段と、
補正後の前記対象明度のデータを含めて、前記複数の領域のそれぞれの明度データに基づいてカラー表示する表示手段とを備えたカラー画像表示装置である。
【００２５】
また、第５の本発明は、
前記明度補正手段は、前記対象領域に対する前記周囲領域の面積の比が予め決められた所定値以上の場合にのみ前記対象明度のデータを補正する、第４の本発明のカラー画像表示装置である。
【００２６】
また、第６の本発明は、
複数の領域に対するそれぞれの彩度データを格納する格納手段と、
補正する対象彩度を指定する対象彩度指定手段と、
前記対象彩度のデータを有している対象領域の外側にあり、かつ前記対象領域の周囲に接している周囲領域の彩度データを取得する周囲彩度取得手段と、
前記周囲領域の彩度データに基づいて前記対象彩度のデータを補正する彩度補正手段と、
補正後の前記対象彩度のデータを含めて、前記複数の領域のそれぞれの彩度データに基づいてカラー表示する表示手段とを備えたカラー画像表示装置である。
【００２７】
また、第７の本発明は、
前記彩度補正手段は、前記対象領域に対する前記周囲領域の面積の比が予め決められた所定値以上の場合にのみ前記対象彩度のデータを補正する、第６の本発明のカラー画像表示装置である。
【００２８】
また、第８の本発明は、
複数の領域に対するそれぞれの色の３要素のデータを格納する格納ステップと、
補正する対象を、色の３要素のうちの１つの要素の特定の値で指定する補正対象指定ステップと、
前記１つの要素のデータが前記特定の値である対象領域の外側にあり、かつ前記対象領域の周囲に接している周囲領域を検出し、前記周囲領域の前記１つの要素のデータを取得する周囲領域要素値取得ステップと、
前記周囲領域の前記１つの要素のデータに基づいて、前記対象領域の前記１つの要素のデータを補正する要素値補正ステップと、
補正後の前記対象領域の前記１つの要素のデータを含めて、前記複数の領域のそれぞれの色の３要素のデータに基づいてカラー表示する表示ステップとを備えたカラー画像表示方法である。
【００２９】
また、第９の本発明は、
第８の本発明のカラー画像表示方法の、複数の領域に対するそれぞれの色の３要素のデータを格納する前記格納ステップ、補正する対象を色の３要素のうちの１つの要素の特定の値で指定する前記補正対象指定ステップ、周囲領域を検出し前記周囲領域の前記１つの要素のデータを取得する前記周囲領域要素値取得ステップ、前記対象領域の前記１つの要素のデータを補正する前記要素値補正ステップ、補正後の前記対象領域の前記１つの要素のデータを含めて前記複数の領域のそれぞれの色の３要素のデータに基づいてカラー表示する前記表示ステップ、を実行するためにコンピュータを機能させるためのプログラムである。
【００３０】
また、第１０の本発明は、
第９の本発明のプログラムを記録した記録媒体であって、コンピュータで利用可能な記録媒体である。
【発明の効果】
【００３１】
本発明により、ある色相を有する部分が、表示領域の最外部に分布していない他の色相を有する部分に囲まれている場合でも、ある色相を有する部分の見え方の違和感を減少させる、カラー画像表示装置およびカラー画像表示方法を提供することができる。
【００３２】
また、別の本発明により、ある領域が、そのある領域とは異なる明度や彩度を有する、表示領域の最外部に分布していない部分に囲まれている場合でも、そのある領域の見え方の違和感を減少させる、カラー画像表示装置およびカラー画像表示方法を提供することができる。
【発明を実施するための最良の形態】
【００３３】
以下に、本発明の実施の形態を、図面を用いて説明する。
【００３４】
（実施の形態１）
図１に、本発明の第１の実施の形態の表示装置６６の構成図を示す。
【００３５】
本実施の形態１の表示装置６６は、書き込み手段５０、画像メモリ５１、色相信号作成手段５２、色相別頻度算出手段５３、色相抽出手段５４、色相別ＸＹ方向ヒストグラム作成手段５６、最大／最小アドレス抽出手段５７、色変換対象色相指定手段５８、周囲色相抽出手段５９、補正レベル抽出手段６０、色相変換手段６１、対象画像判定手段６２、ＲＧＢ信号補正手段６３、読み込み手段６４、ＲＧＢ表示手段６５から構成される。
【００３６】
以下、本実施の形態１の表示装置６６の各構成部分の動作について説明する。
【００３７】
書き込み手段５０は、時系列で入力されるＲＧＢ信号を画像メモリ５１に記録する手段である。画像メモリ５１は、入力されたＲＧＢ信号を画面の位置に対応したアドレスに格納するメモリであり、色補正を行おうとする１フレームの画像が記録される。アドレスを指定して、ＲＧＢ信号を書き込みまたは読み出すことができる。
【００３８】
色相信号作成手段５２は、ＲＧＢ信号から色相データを演算し作成する手段である。
【００３９】
色相別頻度算出手段５３は、画像メモリ５１に記録された１フレームの画像に対して、色相別にヒストグラムを作成する手段である。画面の全画素を色相別に分類することで、図９のようなヒストグラムが作成される。
【００４０】
色相抽出手段５４は、色相別頻度算出手段５３で作成されたヒストグラムより、閾値以上の色相を抽出する手段である。この色相の抽出方法は、従来技術と同様の方法である。図９のヒストグラム例で説明すると、「ｔｈ」が、補正を行なうか否かの判断基準となる「閾値」であり、Ｂ０、ＢＧ、ＧＢ、ＧＹ、Ｙ０、Ｒ０が、この閾値ｔｈを超える色相であり、これらの色相が色相抽出手段５４によって抽出される。
【００４１】
色相別ＸＹ方向ヒストグラム作成手段５６は、画像のＸ方向及びＹ方向に対する頻度ヒストグラムをそれぞれ作成する手段である。色相抽出手段５４によって抽出された色相データを有する画素が、画面のＸ方向ライン及びＹ方向ラインにどれだけあるかを調べることにより、これらの頻度ヒストグラムを作成できる。
【００４２】
最大／最小アドレス抽出手段５７は、色相別ＸＹ方向ヒストグラム作成手段５６によって作成された頻度ヒストグラムより、各色相のＸ方向及びＹ方向での分布の最大／最小アドレスを抽出する手段である。
【００４３】
色変換対象色相指定手段５８は、補正を行いたい対象色相を指定する手段である。
【００４４】
周囲色相抽出手段５９は、色変換対象色相指定手段５８によって指定された対象色相の範囲を含む領域であり、それらの中で最小範囲の領域が有する色相（以降、周囲色相と呼ぶ）を抽出する手段である。
【００４５】
補正レベル抽出手段６０は、周囲色相の色差軸方向の補正レベルを抽出する手段である。色相変換手段６１は、「対象色相＋補正レベル」を対象色相の新たな色相（以降、補正色相と呼ぶ）とする手段である。
【００４６】
対象画像判定手段６２は、周囲色相抽出手段５９より与えられる対象色相の位置情報が、読み込み手段６４から指定される読み込みアドレスと等しいかどうかを判定する手段である。読み込みアドレスと等しいとき、対象画像判定手段６２は、その読み込みアドレスの画素の色相データが対象色相のデータであると判断し、ＲＧＢ信号補正手段６３への判定信号を１（Ｔｒｕｅ）とする。なお、周囲色相抽出手段５９は、色相抽出手段５４で抽出された色相データに対象色相のデータが含まれており、かつ、対象色相の範囲を含む領域の周囲色相がある場合にのみ、対象画像判定手段６２に対象色相の位置情報を与える。
【００４７】
ＲＧＢ信号補正手段６３は、対象画像判定手段６２から通知される判定信号と、読み込み手段６４から指定される読み込みアドレスによって画像メモリ５１から読み出されるＲＧＢ信号と、色相変換手段６１から取得する補正色相とから、色相データを補正したＲＧＢ信号を作成する手段である。ＲＧＢ信号補正手段６３は、判定信号が１（Ｔｒｕｅ）のとき、画像メモリ５１から読み出されるＲＧＢ信号を変更し、その色相データが補正色相のデータとなるようにＲＧＢ信号を作成する。
【００４８】
読み込み手段６４は、アドレスを指定して、画像メモリ５１に記録されているＲＧＢ信号を取り出す手段である。画像メモリ５１から読み出されるＲＧＢ信号は、ＲＧＢ信号補正手段６３を経て読み込み手段６４に入力される。また、読み込み手段６４は、ＲＧＢ信号補正手段６３を経て入力されたＲＧＢ信号から、ＲＧＢ表示手段６５に映像を表示させるための形式に合わせた同期信号とＲＧＢ信号を作成し、出力する手段でもある。
【００４９】
ＲＧＢ表示手段６５は、読み込み手段６４から入力される同期信号とＲＧＢ信号から、映像を表示する手段である。
【００５０】
なお、表示装置６６が、本発明のカラー画像表示装置の一例にあたる。また、画像メモリ５１が、本発明の格納手段の一例にあたり、色変換対象色相指定手段５８が、本発明の対象色相指定手段の一例にあたる。また、色相信号作成手段５２、色相別頻度算出手段５３、色相抽出手段５４、色相別ＸＹ方向ヒストグラム作成手段５６、最大／最小アドレス抽出手段５７、周囲色相抽出手段５９を組み合わせたものが、本発明の周囲色相取得手段の一例にあたる。また、補正レベル抽出手段６０、色相変換手段６１、ＲＧＢ信号補正手段６３を組み合わせたものが、本発明の色相補正手段の一例にあたる。また、読み込み手段６４とＲＧＢ表示手段６５を組み合わせたものが、本発明の表示手段の一例にあたる。
【００５１】
次に、本実施の形態１の表示装置６６において色相を補正する動作について説明する。
【００５２】
図３に、本実施の形態１で色補正を行いたい画面の例を示す。ここでは、図３の画面について色相を補正する場合について説明する。図３の表示例は、文字２０、対象画像２１、周辺画像２２、エリア２３、背景２４で構成されており、ある色相を持つ対象画像２１が、周辺画像２２で囲まれている。
【００５３】
図２は、本実施の形態１の色相の補正手順を示している。
【００５４】
まず、色変換対象色相指定手段５８で、補正を行いたい対象色相を指定する（Ｓ２０１）。ここでは、対象色相として、図３の対象画像２１の部分が有する色相を指定したものとする。なお、対象色相を有している対象画像２１の部分が、本発明の対象領域の一例にあたる。また、Ｓ２０１の処理が、本発明の補正対象指定ステップの一例にあたる。そして、本実施の形態１における色相が、本発明の色の３要素のうちの１つの要素の一例にあたり、対象色相として指定される色相の値が、本発明の特定の値の一例にあたる。
【００５５】
次に、書き込み手段５０が、時系列で入力されるＲＧＢ信号を画像メモリ５１に記録する。なお、この画像メモリ５１にＲＧＢ信号を格納する処理が、本発明の格納ステップの一例にあたる。
【００５６】
そして、色相別頻度算出手段５３によって、色補正を行いたいある画面（ここでは図３の画面）について色相のヒストグラムを作成し、色相抽出手段５４で、所定の閾値以上の色相を抽出する（Ｓ２０２）。ここでは、図３の画面内の、対象画像２１、周辺画像２２、エリア２３の３つの領域がそれぞれ有している色相データが抽出される。
【００５７】
色相別ＸＹ方向ヒストグラム作成手段５６は、色相抽出手段５４で抽出された色相データに対象色相のデータが含まれていた場合には（Ｓ２０３）、それらの抽出された各色相データについて、画像のＸ方向及びＹ方向に対する頻度ヒストグラムをそれぞれ作成する（Ｓ２０４）。Ｓ２０３の処理で、色相抽出手段５４で抽出された色相データに対象色相のデータが含まれていなかった場合には、対象色相の補正は行なわない。したがって、その場合には、Ｓ２０４〜Ｓ２０８の処理は行なわれない。
【００５８】
図４は、色相別ＸＹ方向ヒストグラム作成手段５６で作成される、図３の画面で抽出されたそれぞれの色相データについてのＸ方向及びＹ方向に対する頻度ヒストグラムの例を示している。画面の下に、Ｘ方向に対する各色相データの頻度ヒストグラムを、画面の右側に、Ｙ方向に対する各色相データの頻度ヒストグラムを、それぞれ示している。
【００５９】
図４に示すように、Ｘ方向については、対象画像２１の色相、すなわち対象色相のデータは、Ｘ11〜Ｘ12の範囲に分布している。周辺画像２２の色相データおよびエリア２３の色相データは、Ｘ21〜Ｘ22、およびＸ31〜Ｘ32の範囲にそれぞれ分布している。また、Ｙ方向については、対象色相のデータ、周辺画像２２の色相データ、エリア２３の色相データは、それぞれ、Ｙ11〜Ｙ12、Ｙ21〜Ｙ22、Ｙ31〜Ｙ32の範囲に分布している。
【００６０】
最大／最小アドレス抽出手段５７は、色相別ＸＹ方向ヒストグラム作成手段５６によって作成されたこれらの頻度ヒストグラムより、各色相のＸ方向及びＹ方向での分布の最大／最小アドレスを抽出する（Ｓ２０５）。これにより、画像面における各色相の分布を把握することができる。
【００６１】
図４に示す頻度ヒストグラムより、Ｘ方向についての、対象画像２１の色相、すなわち対象色相のデータの最大／最小アドレスは、Ｘ12およびＸ11となる。周辺画像２２の色相データの最大／最小アドレスはＸ22およびＸ21であり、エリア２３の色相データの最大／最小アドレスは、Ｘ32およびＸ31である。また、Ｙ方向については、対象色相のデータの最大／最小アドレスはＹ12およびＹ11であり、周辺画像２２の色相データの最大／最小アドレスはＹ22およびＹ21であり、エリア２３の色相データの最大／最小アドレスはＹ32およびＹ31である。
【００６２】
次に、周囲色相抽出手段５９が、対象色相の範囲を含む領域で、最小範囲の領域が有する周囲色相を抽出する（Ｓ２０６）。
【００６３】
図４において、Ｘ方向についての周辺画像２２の色相データの最大アドレスＸ22は、対象色相のデータの最大アドレスＸ12よりも大きく、周辺画像２２の色相データの最小アドレスＸ21は、対象色相のデータの最小アドレスＸ11よりも小さいので、周辺画像２２は対象色相の領域を含む範囲であると判断できる。また、エリア２３の色相データの最大アドレスＸ32は、対象色相のデータの最大アドレスＸ12よりも大きく、エリア２３の色相データの最小アドレスＸ31は、対象色相のデータの最小アドレスＸ11よりも小さいので、エリア２３も対象色相の領域を含む範囲であると判断できる。ここで、Ｘ22＜Ｘ32、かつ、Ｘ21＞Ｘ31なので、Ｘ方向について、エリア２３は周辺画像２２を含む範囲であると判断される。したがって、Ｘ方向についての、対象色相の範囲を含む領域の中で最小範囲の領域は、周辺画像２２であることがわかる。
【００６４】
同様にして、Ｙ方向についても各画像の最大／最小アドレスを比較することにより、Ｙ方向においても、エリア２３は周辺画像２２を含む範囲であると判断されるので、対象色相の範囲を含む領域の中で最小範囲の領域は周辺画像２２であることがわかる。
【００６５】
Ｘ方向、Ｙ方向のいずれにおいても、対象色相の範囲を含む領域の中で最小範囲の領域は周辺画像２２なので、周辺画像２２が、対象色相の範囲を含む領域の中で最小範囲の領域であると判断できる。ここで、もし、Ｘ方向とＹ方向で、対象色相の範囲を含む領域の中で最小範囲の領域が異なっていた場合には、「対象色相の範囲を含む領域の中で最小範囲となる領域は無い」ということになる。
【００６６】
なお、ここで抽出された周辺画像２２の部分が、本発明の、対象領域の外側にありかつ対象領域の周囲に接している周囲領域の一例にあたる。また、Ｓ２０６の処理が、本発明の周囲領域要素値取得ステップの一例にあたり、周辺画像２２の有する周囲色相の値が、本発明の、周囲領域の１つの要素のデータの一例にあたる。
【００６７】
次に、補正レベル抽出手段６０が、周囲色相の色差軸方向の補正レベルを抽出し（Ｓ２０７）、色相変換手段６１は、「対象色相＋補正レベル」を対象色相を有する領域の新たな色相（補正色相）とする（Ｓ２０８）。
【００６８】
そして、対象画像判定手段６２は、周囲色相抽出手段５９より与えられる対象色相の位置情報が、読み込み手段６４から指定される読み込みアドレスと等しいかどうかを判定し、等しいときには、判定信号を１（Ｔｒｕｅ）として出力する。
【００６９】
ＲＧＢ信号補正手段６３は、判定信号と、画像メモリ５１から読み出されるＲＧＢ信号と、補正色相とから、読み込み手段６４に入力するＲＧＢ信号を作成する。ＲＧＢ信号補正手段６３は、判定信号が１（Ｔｒｕｅ）のとき、画像メモリ５１から読み出されるＲＧＢ信号を変更し、色相データを補正色相のデータとしたＲＧＢ信号を作成する。なお、ここで、ＲＧＢ信号補正手段６３が、対象色相のデータを有するＲＧＢ信号から補正色相のデータを有するＲＧＢ信号を作成する処理が、本発明の要素値補正ステップの一例にあたる。
【００７０】
読み込み手段６４は、読み込みアドレスを指定して画像メモリ５１に記録されているＲＧＢ信号を取り出す。画像メモリ５１から読み出されるＲＧＢ信号は、ＲＧＢ信号補正手段６３を経て、読み込み手段６４に入力される。読み込み手段６４は、入力されたＲＧＢ信号から、ＲＧＢ表示手段６５によって表示させるための同期信号及びＲＧＢ信号を作成し、ＲＧＢ表示手段６５に入力する。
【００７１】
ＲＧＢ表示手段６５は、読み込み手段６４から入力された同期信号及びＲＧＢ信号から、映像を表示する。なお、ＲＧＢ表示手段６５が映像を表示する処理が、本発明の表示ステップの一例にあたる。
【００７２】
ここで、本実施の形態１の表示装置６６における、具体的な色相補正手法の一例について説明しておく。
【００７３】
図５に、Ｙ（黄色）とＢ（青色）の色差軸上での補正手法を示す。これは、図８を用いて説明した特許文献１の補正手法（図１０に示すＳ９０９の処理）と同じ方法である。
【００７４】
実際の色差がＢ０で、視覚的な色差がＢ'０であるとしたとき、その差ΔＢ分だけ実際の色差より視覚的な色差方向とは逆方向に補正し、出力色差Ｂ"０（補正後）を取る。
【００７５】
上記した本実施の形態１の動作例にあてはめると、補正レベル抽出手段６０で抽出する色差軸方向の補正レベルが図５のΔＢに相当し、色相変換手段６１で作成する補正色相が、出力色差Ｂ"０（補正後）に相当する。
【００７６】
ただし、本発明は、上記の色相補正手法に限定されるものではなく、その他の手法で色相を補正するようにしてもよい。
【００７７】
また、色変換対象色相指定手段５８で、補正を行いたい対象色相を指定する方法として、例えば、対象色相とする色相をカラーチャートから選択するようにしてもよいし、補正を行わせたい画像全体を表示させて対象色相とする領域を選択させるようにしてもよい。対象色相が指定できさえすれば、どのような方法で指定するようにしてもよい。また、指定された色相のみを対象色相とするのではなく、指定された色相を中心にある幅を持たせた範囲の値を持つ色相データを対象色相として処理するようにしてもよい。
【００７８】
また、色相抽出手段５４が色相を抽出する際の所定の閾値は、予め固定値を決めておいてもよいし、画像全体に対する所定の割合（面積）以上などとしてもよく、その所定の割合を任意に設定できるようにしてもよい。
【００７９】
なお、本実施の形態１では、対象色相と周囲色相がいずれも閾値以上分布している場合に対象色相を補正することとしたが、対象色相と周囲色相の面積を比較して、対象色相を補正するか否かを判断するようにしてもよい。周囲色相の領域の面積が、対象色相の領域の面積に比べてあるレベル以上小さいと、対象色相が周囲色相によって受ける影響を無視できる。したがって、例えば、対象色相の領域の面積に対する周囲色相の領域の面積の比が所定値以上の場合にのみ対象色相の補正を行うようにしてもよい。
【００８０】
また、本実施の形態１では、各色相の分布の最大／最小アドレスに基づいて、周囲色相および周囲領域の有無を判定したが、その他の方法で周囲色相および周囲領域の有無を判定してもよい。例えば、対象領域の周囲に隣接している全ての画素の色相データをチェックし、それらが全て同じ色相のデータであると判断した場合に、その色相データを周囲色相とする周囲領域が存在する、と判定するようにしてもよい。
【００８１】
以上に説明したように、本実施の形態１の表示装置を用いることにより、対象色相の色について、周囲色相の色の領域で囲まれた場合、周囲色相の領域が表示画面の最も外側に分布している場合でなくとも、対象色相が視覚的に周囲色相の補色方向に色味を帯びてくる現象（色相対比現象）を相殺することができ、忠実な色味の伝達が可能となる。
【００８２】
（実施の形態２）
次に、本発明の第２の実施の形態について説明する。
【００８３】
図６に、本実施の形態２の表示装置７０の構成図を示す。実施の形態１の表示装置６６と同じ構成部分には、同じ符号を用いている。
【００８４】
実施の形態１の表示装置６６が、補正対象領域の色相を補正したのに対し、本実施の形態２の表示装置７０は、補正対象領域の明度を補正する点が異なる。
【００８５】
本実施の形態２の表示装置７０は、書き込み手段５０、画像メモリ５１、明度信号作成手段７１、明度別頻度算出手段７２、明度抽出手段７３、明度別ＸＹ方向ヒストグラム作成手段７４、最大／最小アドレス抽出手段７５、色変換対象明度指定手段７６、周囲明度抽出手段７７、補正レベル抽出手段７８、明度変換手段７９、対象画像判定手段６２、ＲＧＢ信号補正手段８０、読み込み手段６４、ＲＧＢ表示手段６５から構成される。
【００８６】
以下、本実施の形態２の表示装置７０の各構成部分のうち、実施の形態１の表示装置６６と異なる部分の動作について説明する。
【００８７】
明度信号作成手段７１は、ＲＧＢ信号から明度データを演算し作成する手段である。
【００８８】
明度別頻度算出手段７２は、画像メモリ５１に記録された１フレームの画像に対して、明度別にヒストグラムを作成する手段である。
【００８９】
明度抽出手段７３は、明度別頻度算出手段７２で作成されたヒストグラムより、閾値以上の明度を抽出する手段である。
【００９０】
明度別ＸＹ方向ヒストグラム作成手段７４は、画像のＸ方向及びＹ方向に対する頻度ヒストグラムをそれぞれ作成する手段である。明度抽出手段７３によって抽出された明度データを有する画素が、画面のＸ方向ライン及びＹ方向ラインにどれだけあるかを調べることにより、これらの頻度ヒストグラムを作成できる。
【００９１】
最大／最小アドレス抽出手段７５は、明度別ＸＹ方向ヒストグラム作成手段７４によって作成された頻度ヒストグラムより、各明度のＸ方向及びＹ方向での分布の最大／最小アドレスを抽出する手段である。
【００９２】
色変換対象明度指定手段７６は、補正を行いたい対象明度を指定する手段である。
【００９３】
周囲明度抽出手段７７は、色変換対象明度指定手段７６によって指定された対象明度の範囲を含む領域であり、それらの中で最小範囲の領域が有する明度（以降、周囲明度と呼ぶ）を抽出する手段である。
【００９４】
補正レベル抽出手段７８は、周囲明度の明度軸方向の補正レベルを抽出する手段である。明度変換手段７９は、「対象明度＋補正レベル」を対象明度の新たな明度（以降、補正明度と呼ぶ）とする手段である。
【００９５】
対象画像判定手段６２は、周囲明度抽出手段７７より与えられる対象明度の位置情報が、読み込み手段６４から指定される読み込みアドレスと等しいかどうかを判定する手段である。読み込みアドレスと等しいとき、対象画像判定手段６２は、その読み込みアドレスの画素の明度データが対象明度のデータであると判断し、ＲＧＢ信号補正手段８０への判定信号を１（Ｔｒｕｅ）とする。なお、周囲明度抽出手段７７は、明度抽出手段７３で抽出された明度データに対象明度のデータが含まれており、かつ、対象明度の範囲を含む領域の周囲明度がある場合にのみ、対象画像判定手段６２に対象明度の位置情報を与える。
【００９６】
ＲＧＢ信号補正手段８０は、対象画像判定手段６２から通知される判定信号と、読み込み手段６４から指定される読み込みアドレスによって画像メモリ５１から読み出されるＲＧＢ信号と、明度変換手段７９から取得する補正明度とから、明度データを補正したＲＧＢ信号を作成する手段である。ＲＧＢ信号補正手段８０は、判定信号が１（Ｔｒｕｅ）のとき、画像メモリ５１から読み出されるＲＧＢ信号を変更し、その明度データが補正明度のデータとなるようにＲＧＢ信号を作成する。
【００９７】
なお、表示装置７０が、本発明のカラー画像表示装置の一例にあたる。また、画像メモリ５１が、本発明の格納手段の一例にあたり、色変換対象明度指定手段７６が、本発明の対象明度指定手段の一例にあたる。また、明度信号作成手段７１、明度別頻度算出手段７２、明度抽出手段７３、明度別ＸＹ方向ヒストグラム作成手段７４、最大／最小アドレス抽出手段７５、周囲明度抽出手段７７を組み合わせたものが、本発明の周囲明度取得手段の一例にあたる。また、補正レベル抽出手段７８、明度変換手段７９、ＲＧＢ信号補正手段８０を組み合わせたものが、本発明の明度補正手段の一例にあたる。また、読み込み手段６４とＲＧＢ表示手段６５を組み合わせたものが、本発明の表示手段の一例にあたる。
【００９８】
本実施の形態２の表示装置７０における明度を補正する動作は、実施の形態１において色相を補正する動作の色相データを明度データに置き換えた場合と同様の動作なので、その説明は省略する。
【００９９】
本実施の形態２は、実施の形態１の色相対比現象についての補正を、明度対比現象に応用したものである。
【０１００】
明度対比現象とは、対象明度をもつ画像が、周辺画像の明度に影響され、実際の明度と異なった明度に見える現象である。周辺画像の明度より対象明度をもつ画像の方が、明度が低い場合、視覚的に見える明度は、実際の明度より暗くなる。そこでこの場合、対象明度を持つ画像の明度データを明るいものに補正することで、明度対比現象を抑えることができる。
【０１０１】
逆に、周辺画像の明度が対象明度のデータを持つ画像の明度よりも暗い場合、視覚的に見える明度は、実際の明度より明るくなるので、この場合は、対象明度を持つ画像の明度データを暗いものに補正することで、明度対比現象を抑えることができる。
【０１０２】
本実施の形態２の表示装置７０は、周辺画像の明度に応じて対象画像の明度データを上記のように補正することで、明度対比現象を抑えて対象画像の見え方の違和感を減少させる。
【０１０３】
本実施の形態２の表示装置を用いることにより、対象明度の色について、周囲明度の色の領域で囲まれた場合、周囲明度の領域が表示画面の最も外側に分布している場合でなくとも、対象明度が視覚的に周囲明度の影響を受けて実際の明度と異なった明度に見える現象（明度対比現象）を相殺することができ、忠実な色味の伝達が可能となる。
【０１０４】
（実施の形態３）
次に、本発明の第３の実施の形態について説明する。
【０１０５】
図７に、本実施の形態３の表示装置９０の構成図を示す。実施の形態１の表示装置６６と同じ構成部分には、同じ符号を用いている。
【０１０６】
実施の形態１の表示装置６６が、補正対象領域の色相を補正したのに対し、本実施の形態３の表示装置９０は、補正対象領域の彩度を補正する点が異なる。
【０１０７】
本実施の形態３の表示装置９０は、書き込み手段５０、画像メモリ５１、彩度信号作成手段９１、彩度別頻度算出手段９２、彩度抽出手段９３、彩度別ＸＹ方向ヒストグラム作成手段９４、最大／最小アドレス抽出手段９５、色変換対象彩度指定手段９６、周囲彩度抽出手段９７、補正レベル抽出手段９８、彩度変換手段９９、対象画像判定手段６２、ＲＧＢ信号補正手段１００、読み込み手段６４、ＲＧＢ表示手段６５から構成される。
【０１０８】
以下、本実施の形態３の表示装置９０の各構成部分のうち、実施の形態１の表示装置６６と異なる部分の動作について説明する。
【０１０９】
彩度信号作成手段９１は、ＲＧＢ信号から彩度データを演算し作成する手段である。
【０１１０】
彩度別頻度算出手段９２は、画像メモリ５１に記録された１フレームの画像に対して、彩度別にヒストグラムを作成する手段である。
【０１１１】
彩度抽出手段９３は、彩度別頻度算出手段９２で作成されたヒストグラムより、閾値以上の彩度を抽出する手段である。
【０１１２】
彩度別ＸＹ方向ヒストグラム作成手段９４は、画像のＸ方向及びＹ方向に対する頻度ヒストグラムをそれぞれ作成する手段である。彩度抽出手段９３によって抽出された彩度データを有する画素が、画面のＸ方向ライン及びＹ方向ラインにどれだけあるかを調べることにより、これらの頻度ヒストグラムを作成できる。
【０１１３】
最大／最小アドレス抽出手段９５は、彩度別ＸＹ方向ヒストグラム作成手段９４によって作成された頻度ヒストグラムより、各彩度のＸ方向及びＹ方向での分布の最大／最小アドレスを抽出する手段である。
【０１１４】
色変換対象彩度指定手段９６は、補正を行いたい対象彩度を指定する手段である。
【０１１５】
周囲彩度抽出手段９７は、色変換対象彩度指定手段９６によって指定された対象彩度の範囲を含む領域であり、それらの中で最小範囲の領域が有する彩度（以降、周囲彩度と呼ぶ）を抽出する手段である。
【０１１６】
補正レベル抽出手段９８は、周囲彩度の彩度軸方向の補正レベルを抽出する手段である。彩度変換手段９９は、「対象彩度＋補正レベル」を対象彩度の新たな彩度（以降、補正彩度と呼ぶ）とする手段である。
【０１１７】
対象画像判定手段６２は、周囲彩度抽出手段９７より与えられる対象彩度の位置情報が、読み込み手段６４から指定される読み込みアドレスと等しいかどうかを判定する手段である。読み込みアドレスと等しいとき、対象画像判定手段６２は、その読み込みアドレスの画素の彩度データが対象彩度のデータであると判断し、ＲＧＢ信号補正手段１００への判定信号を１（Ｔｒｕｅ）とする。なお、周囲彩度抽出手段９７は、彩度抽出手段９３で抽出された彩度データに対象彩度のデータが含まれており、かつ、対象彩度の範囲を含む領域の周囲彩度がある場合にのみ、対象画像判定手段６２に対象彩度の位置情報を与える。
【０１１８】
ＲＧＢ信号補正手段１００は、対象画像判定手段６２から通知される判定信号と、読み込み手段６４から指定される読み込みアドレスによって画像メモリ５１から読み出されるＲＧＢ信号と、彩度変換手段９９から取得する補正彩度とから、彩度データを補正したＲＧＢ信号を作成する手段である。ＲＧＢ信号補正手段１００は、判定信号が１（Ｔｒｕｅ）のとき、画像メモリ５１から読み出されるＲＧＢ信号を変更し、その彩度データが補正彩度のデータとなるようにＲＧＢ信号を作成する。
【０１１９】
なお、表示装置９０が、本発明のカラー画像表示装置の一例にあたる。また、画像メモリ５１が、本発明の格納手段の一例にあたり、色変換対象彩度指定手段９６が、本発明の対象彩度指定手段の一例にあたる。また、彩度信号作成手段９１、彩度別頻度算出手段９２、彩度抽出手段９３、彩度別ＸＹ方向ヒストグラム作成手段９４、最大／最小アドレス抽出手段９５、周囲彩度抽出手段９７を組み合わせたものが、本発明の周囲彩度取得手段の一例にあたる。また、補正レベル抽出手段９８、彩度変換手段９９、ＲＧＢ信号補正手段１００を組み合わせたものが、本発明の彩度補正手段の一例にあたる。また、読み込み手段６４とＲＧＢ表示手段６５を組み合わせたものが、本発明の表示手段の一例にあたる。
【０１２０】
本実施の形態３の表示装置９０における彩度を補正する動作は、実施の形態１において色相を補正する動作の色相データを彩度データに置き換えた場合と同様の動作なので、その説明は省略する。
【０１２１】
本実施の形態３は、実施の形態１の色相対比現象についての補正を、彩度対比現象に応用したものである。
【０１２２】
彩度対比現象とは、対象彩度をもつ画像が、周辺画像の彩度に影響され、実際の彩度と異なった彩度に見える現象である。周辺画像の彩度より対象彩度をもつ画像の方が、彩度が低い場合、視覚的に見える彩度は、実際の彩度より低くなる。そこでこの場合、対象彩度を持つ画像の彩度データを高いものに補正することで、彩度対比現象を抑えることができる。
【０１２３】
逆に、周辺画像の彩度が対象彩度のデータを持つ画像の彩度よりも低い場合、視覚的に見える彩度は、実際の彩度より高くなるので、この場合は、対象彩度を持つ画像の彩度データを低いものに補正することで、彩度対比現象を抑えることができる。
【０１２４】
本実施の形態３の表示装置９０は、周辺画像の彩度に応じて対象画像の彩度データを上記のように補正することで、彩度対比現象を抑えて対象画像の見え方の違和感を減少させる。
【０１２５】
本実施の形態３の表示装置を用いることにより、対象彩度の色について、周囲彩度の色の領域で囲まれた場合、周囲彩度の領域が表示画面の最も外側に分布している場合でなくとも、対象彩度が視覚的に周囲彩度の影響を受けて実際の彩度と異なった彩度に見える現象（彩度対比現象）を相殺することができ、忠実な色味の伝達が可能となる。
【０１２６】
なお、実施の形態１における色相、実施の形態２における明度、実施の形態３における彩度が、それぞれ本発明の、色の３要素のうちの１つの要素にあたる。また、色変換対象色相指定手段５８で指定される対象色相の値、色変換対象明度指定手段７６で指定される対象明度の値、色変換対象彩度指定手段９６で指定される対象彩度の値が、それぞれ本発明の、補正対象ステップで指定される特定の値の一例にあたる。
【０１２７】
プレゼンテーション用の資料を作成するような場合、強調させる部分の領域の色を決めておいて作成する場合も多い。本発明のカラー画像表示装置およびカラー画像表示方法では、強調させる部分の領域の色を対象領域の色に指定しておくことにより、その強調させる領域を見る人にとって違和感無く見ることができる資料を作成できるので、このような場合に非常に有用である。
【０１２８】
なお、各実施の形態では、色の３要素である色相、明度、彩度のいずれか一つについて補正することとしたが、これらの色の３要素のうちのいくつかの組み合わせで補正対象を決め、補正するようにしてもよい。例えば、色相＋明度で補正対象を決めて、色相と明度を補正するようにしてもよいし、色相、明度、彩度の全てで補正対象を指定して、色相、明度、彩度の全てを補正するようにしてもよい。
【０１２９】
なお、本発明のプログラムは、上述した本発明のカラー画像表示方法の、格納ステップ、補正対象指定ステップ、周囲領域要素値取得ステップ、要素値補正ステップ、表示ステップ、の全部又は一部のステップの動作をコンピュータにより実行させるためのプログラムであって、コンピュータと協働して動作するプログラムである。
【０１３０】
また、本発明の記録媒体は、上述した本発明のカラー画像表示方法の、格納ステップ、補正対象指定ステップ、周囲領域要素値取得ステップ、要素値補正ステップ、表示ステップ、の全部又は一部のステップの動作をコンピュータにより実行させるためのプログラムを記録した記録媒体であり、コンピュータにより読み取り可能かつ、読み取られた前記プログラムが前記コンピュータと協働して利用される記録媒体である。
【０１３１】
なお、上記本発明の上記「一部のステップ」とは、それらの複数のステップの内の、一つ又は幾つかのステップを意味する。
【０１３２】
また、本発明のプログラムの一利用形態は、コンピュータにより読み取り可能な記録媒体に記録され、コンピュータと協働して動作する態様であっても良い。
【０１３３】
また、記録媒体としては、ＲＯＭ等が含まれる。
【０１３４】
また、上述した本発明のコンピュータは、ＣＰＵ等の純然たるハードウェアに限らず、ファームウェアや、ＯＳ、更に周辺機器を含むものであっても良い。
【０１３５】
なお、以上説明した様に、本発明の構成は、ソフトウェア的に実現しても良いし、ハードウェア的に実現しても良い。
【産業上の利用可能性】
【０１３６】
本発明に係るカラー画像表示装置およびカラー画像表示方法は、ある領域が、そのある領域とは異なる色相や明度や彩度を有する、表示領域の最外部に分布していない部分に囲まれている場合でも、そのある領域の見え方の違和感を減少させる効果を有し、３原色の色の混合比に対応する色信号を入力し表示するカラー画像表示装置およびカラー画像表示方法等として有用である。
【図面の簡単な説明】
【０１３７】
【図１】本発明の実施の形態１の表示装置の構成を示すブロック図
【図２】本発明の実施の形態１の色相の補正手順を示す図
【図３】本発明の実施の形態１で、色相を補正する表示例を示す図
【図４】本発明の実施の形態１で作成される、各色相についてのＸ方向及びＹ方向に対する頻度ヒストグラムの例を示す図
【図５】本発明の実施の形態１における色相補正手法の具体例を説明する図
【図６】本発明の実施の形態２の表示装置の構成を示すブロック図
【図７】本発明の実施の形態３の表示装置の構成を示すブロック図
【図８】従来の色相の補正手順を示す図
【図９】従来の色相の補正方法における、ある画像のヒストグラム例を示す図
【図１０】従来の前景／背景の判別部における色相の補正手順を示す図
【図１１】従来の色相の補正方法における、前景画像および背景画像と、それらの頻度ヒストグラムの例を示した図
【符号の説明】
【０１３８】
５０  書き込み手段
５１  画像メモリ
５２  色相信号作成手段
５３  色相別頻度算出手段
５４  色相抽出手段
５６  色相別ＸＹ方向ヒストグラム作成手段
５７  最大／最小アドレス抽出手段
５８  色変換対象色相指定手段
５９  周囲色相抽出手段
６０  補正レベル抽出手段
６１  色相変換手段
６２  対象画像判定手段
６３  ＲＧＢ信号補正手段
６４  読み込み手段
６５  ＲＧＢ表示手段
６６  表示装置
【図１】
2006332908.tif 000003
【図２】
2006332908.tif 000004
【図３】
2006332908.tif 000005
【図４】
2006332908.tif 000006
【図５】
2006332908.tif 000007
【図６】
2006332908.tif 000008
【図７】
2006332908.tif 000009
【図８】
2006332908.tif 000010
【図９】
2006332908.tif 000011
【図１０】
2006332908.tif 000012
【図１１】
2006332908.tif 000013